(57)【要約】  【課題】  患部をより適切に保護するための患部保護具を提供する。  【解決手段】  基材層と、粘着剤層と、剥離材層と、を含む患部保護具であって、第１貼付け部と、第２貼付け部と、患部保護部と、を含み、前記基材層と前記粘着剤層との間に、弾性材層を含み、前記患部保護部における前記弾性材層が復元力を有することによって、患部を保護する患部保護具。【選択図】  図１
2018051088.tif 000002
【特許請求の範囲】
【請求項１】
基材層と、粘着剤層と、剥離材層と、を含む患部保護具であって、
第１貼付け部と、第２貼付け部と、患部保護部と、を含み、
前記基材層と前記粘着剤層との間に、弾性材層を含み、
前記患部保護部における前記弾性材層が復元力を有することによって、患部を保護する
ことを特徴とする患部保護具。
【請求項２】
請求項１に記載の患部保護具であって、
前記患部保護部における前記弾性材層は、平面形状に設けられる
ことを特徴とする患部保護具。
【請求項３】
請求項２に記載の患部保護具であって、
前記患部保護部における前記弾性材層は、コ字形状、又は２以上のコ字形状を繰り返し反転屈曲させた形状に設けられる
ことを特徴とする患部保護具。
【請求項４】
請求項１に記載の患部保護具であって、
前記患部保護部における前記弾性材層は、前記基材層側に突出する突出形状に設けられる
ことを特徴とする患部保護具。
【請求項５】
請求項４に記載の患部保護具であって、
前記患部保護部における前記弾性材層は、前記基材層側に突出する略逆Ｖ字形状に設けられる
ことを特徴とする患部保護具。
【請求項６】
請求項４に記載の患部保護具であって、
前記患部保護部における前記弾性材層は、前記基材層側に突出する略円弧形状に設けられる
ことを特徴とする患部保護具。
【請求項７】
請求項４に記載の患部保護具であって、
前記患部保護部における前記弾性材層は、前記基材層側に突出する略Ｍ字形状に設けられる
ことを特徴とする患部保護具。
【請求項８】
請求項４〜７のいずれか一項に記載の患部保護具であって、
前記弾性材層と前記粘着剤層との間に、裏材層を含む
ことを特徴とする患部保護具。
【請求項９】
請求項８に記載の患部保護具であって、
前記患部保護部は、前記裏材層を含まない
ことを特徴とする患部保護具。
【請求項１０】
請求項１に記載の患部保護具であって、
前記患部保護部における前記弾性材層は、平面形状から前記基材層側に突出する突出形状に変更可能に設けられる
ことを特徴とする患部保護具。
【請求項１１】
請求項１０に記載の患部保護具であって、
前記患部保護部は、前記突出形状を固定するための折曲固定部を含む
ことを特徴とする患部保護具。
【請求項１２】
請求項１〜１１のいずれか一項に記載の患部保護具であって、
前記患部保護部の少なくとも一部を貫通する進出口を含む
ことを特徴とする患部保護具。
【発明の詳細な説明】
【技術分野】
【０００１】
本発明は、患部保護具に関する。
【背景技術】
【０００２】
従来、傷等の患部を保護するものとして、絆創膏が用いられており、例えば、「片面に粘着剤層を形成した非通水性基材と、その基材の粘着剤層側に貼着された合成樹脂製傷保護材とからなり、傷保護材は、傷に接する一面に平滑面を有し、他面に傷からの滲出液の透過を防止する防液層を有し、内部が傷からの滲出液を吸収する多孔質の吸収層となっており、基材には前記傷保護材が貼着される箇所にのみ通気孔が形成され、傷保護材の防液層側を基材の粘着剤層に向けて貼着したことを特徴とするばんそうこう」が提案されている（特許文献１）。
【先行技術文献】
【特許文献】
【０００３】
【特許文献１】特開平６−７８９４８号公報
【発明の概要】
【発明が解決しようとする課題】
【０００４】
上記ばんそうこうは、傷口を被覆して滲出液を吸収し、外部から水が傷口に入らないようにする点では、優れている。
【０００５】
しかしながら、傷等の患部が、関節等動きが活発な部位の近くにある場合、無意識な動きによって傷口が開いたり、ものに当たったりして、治癒まで時間がかかってしまうことがあるが、上記ばんそうこうは、このような問題には対処できない。また、傷後の瘡蓋を保護することも対処できない。
【０００６】
また、最近の傷口の治療法として、瘡蓋を作らない方法、いわゆる湿潤療法（モイストヒーリング）という方法があり、傷を早く治すことができる。これは、「傷口を乾燥させない」ようにすることで瘡蓋そのものができない状態にして傷口を修復させるものである。瘡蓋は傷口から出てきた浸出液が空気に触れて乾燥する事によってできるものであるため、乾燥させない方法を取ることでそれを抑える事ができる。しかしながら、例えば、関節の上にできた傷の場合に、傷口を無理に伸ばしたりするとこれらの効果も期待できなくなる。
【０００７】
本発明は、上記課題を解決するためのもので、患部をより適切に保護するための患部保護具を提供することを目的とする。
【課題を解決するための手段】
【０００８】
上記課題を解決するために、本発明の一態様に係る患部保護具は、基材層と、粘着剤層と、剥離材層と、を含む患部保護具であって、第１貼付け部と、第２貼付け部と、患部保護部と、を含み、前記基材層と前記粘着剤層との間に、弾性材層を含み、前記患部保護部における前記弾性材層が復元力を有することによって、患部を保護する。
【０００９】
また、前記患部保護部における前記弾性材層は、平面形状に設けられてもよい。
【００１０】
また、前記患部保護部における前記弾性材層は、コ字形状、又は２以上のコ字形状を繰り返し反転屈曲させた形状に設けられてもよい。
【００１１】
また、前記患部保護部における前記弾性材層は、前記基材層側に突出する突出形状に設けられてもよい。
【００１２】
また、前記患部保護部における前記弾性材層は、前記基材層側に突出する略逆Ｖ字形状に設けられてもよい。
【００１３】
また、前記患部保護部における前記弾性材層は、前記基材層側に突出する略円弧形状に設けられてもよい。
【００１４】
また、前記患部保護部における前記弾性材層は、前記基材層側に突出する略Ｍ字形状に設けられてもよい。
【００１５】
また、前記弾性材層と前記粘着剤層との間に、裏材層を含んでもよい。
【００１６】
また、前記患部保護部は、前記裏材層を含まなくてもよい。
【００１７】
また、前記患部保護部における前記弾性材層は、平面形状から前記基材層側に突出する突出形状に変更可能に設けられてもよい。
【００１８】
また、前記患部保護部は、前記突出形状を固定するための折曲固定部を含んでもよい。
【００１９】
また、前記患部保護部の少なくとも一部を貫通する進出口を含んでもよい。
【発明の効果】
【００２０】
本発明によれば、患部をより適切に保護するための患部保護具を提供することができる。
【図面の簡単な説明】
【００２１】
【図１】実施形態１に係る患部保護具を示す図である。
【図２】実施形態１に係る患部保護具の使用状態を示す図である。
【図３】実施形態１の変形例１係る患部保護具を示す図である。
【図４】実施形態１の変形例２に係る患部保護具を示す図である。
【図５】実施形態２に係る患部保護具を示す図である。
【図６】実施形態２の変形例１に係る患部保護具を示す図である。
【図７】実施形態２の変形例２に係る患部保護具を示す図である。
【図８】実施形態３に係る患部保護具を示す図である。
【図９】実施形態４に係る患部保護具を示す図である。
【発明を実施するための形態】
【００２２】
以下、図面を参照して本願に係る患部保護具の実施形態の例を説明する。本願では、患部保護具及びその構成部分において、患部に近接する側を「裏側」とし、その逆側を「表側」とする。なお、各図においては、一部の層にのみハッチング又は網掛け処理をして表示することがある。
【００２３】
＜実施形態１＞
図１及び図２は、実施形態１に係る患部保護具１を示す図で、図１は、患部保護具１を示す図、図２は患部保護具１の使用状態を示す図である。
【００２４】
患部保護具１は、基材層１１と、弾性材層１４と、粘着剤層１２と、剥離材層１３と、を含んで構成される。なお、図示のように、弾性材層１４と粘着剤層１２との間に裏材層１５を含んでもよい。
【００２５】
基材層１１は、患部保護具１の表側を構成する層で、例えば、不織布や、合成樹脂製フィルム、和紙、綿布等の素材が用いられる。基材層１１は、伸縮性を有する素材が用いられてもよい。図示のように、本実施形態において基材層１１は、１枚のシート状になっている。
【００２６】
弾性材層１４は、基材層１１の裏側に当接して配置される層で、例えば、薄板状の金属部材、薄板状の樹脂部材等が用いられる。弾性材層１４は、基材層１１の縁部よりも内側に後退して基材層１１よりも狭い範囲に配置される。一例として、図示のように、弾性材層１４は、基材層１１の中央部の細長い範囲に分布される。弾性材層１４は、図示しない接着剤や粘着剤等で基材層１１に貼り付けられて固定されてもよいし、基材層１１と後述の裏材層１５との間に挟まれて固定されてもよい。
【００２７】
裏材層１５は、弾性材層１４が存在する領域ではその裏側に、弾性材層１４が存在しない領域では基材層１１の裏側に、当接して配置される層で、例えば、不織布や、合成樹脂製フィルム、和紙、綿布等の素材が用いられる。裏材層１５は、弾性材層１４を覆うように配置される。図示の裏材層１５は、基材層１１と対応した形状で、弾性材層１４を隔てて基材層１１全体をも覆うように配置されているが、これに限定されるものではなく、弾性材層１４を覆う大きさで配置されればよい。さらには、弾性材層１４の両端だけを覆うものであってもよい。基材層１１は、伸縮性を有する素材が用いられてもよい。裏材層１５は、図示しない接着剤等で弾性材層１４と貼り付けられていてもよい。また、裏材層１５は、弾性材層１４が存在しない領域では、少なくとも一部が熱圧着等により基材層１１と接合されて一体となってもよい。
【００２８】
粘着剤層１２は、裏材層１５が存在する領域では裏材層１５を、裏材層１５が存在しない領域では、基材層１１の裏側に塗布（積層）される層で、例えば、シリコーン樹脂製の粘着剤、アクリル樹脂製の粘着剤、合成ゴム製の粘着剤等が用いられる。図示のように、本実施形態における粘着剤層１２は、中央部分を隔てて鼻側及び顎側の二つの分断された帯状に塗布される。
【００２９】
剥離材層１３は、裏側から粘着剤層１２を覆う層で、紙や合成樹脂フィルム等の素材が用いられる。また、図示しないが、粘着剤層１２からきれいに剥がれるように、剥離材層１３にはシリコーン樹脂等が塗布される。図示の剥離材層１３は、１枚のシート状になっているが、粘着剤層１２のみを覆うように、二つの分断された帯状に形成されてもよい。さらに、裏材層１５に沿って設けられてもよい。
【００３０】
患部保護具１は、図示のように、第１貼付け部２１と、第２貼付け部２２と、患部保護部３０と、を含む。
【００３１】
第１貼付け部２１は、一方側の皮膚に貼り付けられる部分で、表側から順に基材層１１、弾性材層１４、裏材層１５、粘着剤層１２、剥離材層１３を含んで構成される。第１貼付け部２１は、一例として、図示のように、端部が二つの円弧が連なる形状に形成され、端部中心が切欠いた形状に形成される。
【００３２】
第１貼付け部２１において、弾性材層１４は、分布領域が基材層１１よりも狭く、一例として、図示のように、弾性材層１４は、縁部から内側（患部保護部３０側）に後退させて配置される。
【００３３】
第２貼付け部２２は、他方側の皮膚に貼り付けられる部分で、表側から順に基材層１１、弾性材層１４、裏材層１５、粘着剤層１２、剥離材層１３を含んで構成される。第２貼付け部２２は、一例として、図示のように、端部が丸みのある略逆三角形状に形成される。
【００３４】
第２貼付け部２２において、弾性材層１４は、分布領域が基材層１１よりも狭く、一例として、図示のように、弾性材層１４は、縁部から内側（患部保護部３０）に後退させて配置される。
【００３５】
本実施形態において、患部保護部３０は、患部とは所定の距離を保ちながら上方から覆う部分で、粘着剤層１２は含まず、一例として、表側から順に基材層１１、弾性材層１４、裏材層１５、剥離材層１３を含んで構成される。なお、患部保護部３０は、剥離材層１３を含まなくてもよい。また、図示しないが、患部保護部３０は、裏材層を含まなくてもよい。
【００３６】
患部保護部３０における弾性材層１４は、基材層１１側に突出する形状をなす。一例として、図示のように、患部保護部３０における弾性材層１４は、基材層１１側に突出する略逆Ｖ字形状をなす。言い換えれば、弾性材層１４は、３１及び３２の二つの辺が所定角度で連なる形状である。なお、患部保護部３０において、弾性材層１４によって基材層１１も押し上げられてこれと同様な形状をなし、裏材層１５が弾性材層１４と貼り付けられている場合は、裏材層１５も同じ形状をなす。裏材層１５が弾性材層１４と貼り付けられていない場合は、患部保護部３０における裏材層１５は、その分弛んだ状態にある。
【００３７】
なお、第１貼付け部２１や第２貼付け部２２は、必ずしも平面状でなくてもよい。貼り付けられる部位に合わせて一部又は全体が湾曲する等の形状であってもよい。また、基材層１１や裏材層１５は、弾性材層１４全体を覆わずとも、第１貼付け部２１や第２貼付け部２２付近を覆うだけでもよい。
【００３８】
患部保護具１は、使用の際は、剥離材層１３が剥がされ、図２に示すように、患部保護部を患部の上方に、患部を隔てて第１貼付け部が一方の皮膚に貼り付けられ、第２貼付け部が他方の皮膚に貼り付けられる。そうすると、第１貼付け部と第２貼付け部との間の間隔を変えようとする、言い換えれば患部に近い部位を動こうとすると、弾性材層１４の略逆Ｖ字形状の両辺にその復元力に抗する力を与えなければならない。しかし、無意識の動きは、その力が弱いため、略逆Ｖ字形状の両辺を近接方向あるいは離間方向に変形させることはできず、これによって無意識の動きが抑制される。一方、意識的に動く必要がある場合は、その力が大きく、略逆Ｖ字形状の両辺にその復元力に抗する力を与えてこれを変形させ、動くことができるようになる。そして、意識的な動きを止めると、弾性材層１４の略逆Ｖ字形状の両辺はその復元力によって元の状態に戻り、無意識の動き抑制状態に戻る。
【００３９】
患部保護部３０における弾性材層１４を５ｍｍ解放させる（離間方向に拡開させる）のに必要な力は、１０ｇ〜２００ｇであり、好ましくは、２０〜８０ｇである。
【００４０】
患部保護具１は、無意識の動きを抑制することで、患部の開きなどを抑制することができる。また、患部保護部が患部の上方で所定間隔をおいてガードしているため、患部にあたってしまうことも防止することができる。
【００４１】
なお、製造方法としては、先に湾曲させて成型した弾性材層１４に基材層１１や裏材層１５、剥離材層１３等を貼り付ける方法、平らな弾性材層１４に基材層１１や裏材層１５、剥離材層１３等を貼り付けた後に、弾性材層１４部を湾曲させる方法等が考えられる。形状の打ち抜きなどは適宜、各工程に組み合わされるものとする。
【００４２】
＜実施形態１の変形例１＞
図３は、実施形態１の変形例１に係る患部保護具１ａを示す図である。上記実施形態と同様な構成については、同様な符号を付し、その説明を省略する。患部保護具１ａは、患部保護部３０ａの形状及び進出口４０ａを含む点が、実施形態１に係る患部保護具１と異なる。
【００４３】
患部保護部３０ａは、患部とは所定の距離を保ちながら上方から覆う部分で、粘着剤層１２は含まず、表側から順に基材層１１、弾性材層１４、裏材層１５、剥離材層１３を含んで構成される。なお、患部保護部３０ａは、剥離材層１３を含まなくてもよい。患部保護部３０ａは、基材層側に突出する突出形状に設けられ、ここでは、弾性材層１４は円弧状に設けられる。
【００４４】
進出口４０ａは、患部保護具１ａの略中央部に貫通孔として形成される。好ましくは、進出口４０ａは、患部保護部３０ａにおける弾性材層１４の少なくとも一部を貫通するように形成される。例えば、図示のように、進出口４０ａは、患部保護部３０ａにおける弾性材層１４の中央部を貫通する縦長の貫通孔で、患部保護部３０ａにおける弾性材層１４を二つの帯状部分に分断するように形成される。
【００４５】
患部保護具１ａは、進出口４０ａを設けることで、弾性材層１４の付勢力の強さを調整できる。なお、進出口４０ａの形状は、これに限定されるものではなく、真円形状等であってもよい。また、進出口４０ａは、一つの貫通孔で構成される例が図示されているが、複数であってもよい。また、縦長の一つの貫通孔ではなく、略円形状の貫通孔を縦に複数設けたりしてもよい。また、患部保護部３０ａは、第１貼付け部２１及び第１貼付け部２２より幅広く形成されてもよい。
【００４６】
＜実施形態１の変形例２＞
図４は、実施形態１の変形例２に係る患部保護具１ｂを示す図である。患部保護具１ｂは、患部保護部３０ｂのみが、実施形態１に係る患部保護具１と異なる。
【００４７】
患部保護部３０ｂにおける弾性材層１４ｂは、基材層１１側に突出する形状をなす。一例として、図示のように、患部保護部３０ｂは、患部保護部３０ｂにおける弾性材層１４ｂが、基材層１１側に突出する略Ｍ字形状をなしている。言い換えれば、略逆Ｖ字形状の先端が裏材層側に陥没して谷状の段差部３３ｂを備えるようになっている。その他の構成については、実施形態１に係る患部保護部３０ｂと同様であるため、説明を省略する。
【００４８】
患部保護具１ｂは、患部保護部３０ｂに段差部３３ｂを有することによって、動く幅を大きくすることができ、使い心地がさらによくなる。
【００４９】
＜実施形態２＞
図５は、実施形態２に係る患部保護具１ｃを示す図である。患部保護具１ｃは、患部保護部３０ｃのみが実施形態１に係る患部保護具１と異なる。上記実施形態と同様な構成については、同様な符号を付し、その説明を省略する。
【００５０】
患部保護部３０ｃは、平面形状から基材層１１側に突出する突出形状に変更可能に形成される。一例として、患部保護部３０ｃは、第１辺部３１ｃと、第２辺部３２ｃと、第１辺部３１ｃと第２辺部３２ｃの間の頂部３４ｃと、を含み、第１辺部３１ｃと頂部３４ｃとの間、第２辺部３２ｃと頂部３４ｃとの間に、それぞれ折曲線が形成され、この折曲線を沿って頂部３４ｃを押し上げるように折り曲げることによって、患部保護部３０ｃが基材層１１側に突出する形状に変更される。
【００５１】
なお、頂部３４ｃを含まず、患部保護部３０ｃは、第１辺部３１ｃと、第２辺部３２ｃと、を含み、両者の間に、折曲線が形成され、この折曲線を沿って折り曲げることによって、基材層１１側に突出する形状に変更されるようにしてもよい。
【００５２】
また、患部保護部３０ｃは、折曲固定部３５ｃを含んでもよい。一例として、折曲固定部３５ｃは、第１辺部３１ｃ及び第２辺部３２ｃのそれぞれに設けられた貫通孔と３５１ｃと、これを連結する連結部３５２ｃとを含んで構成される。使用の際には、例えば、図示のように、二つの辺部３１ｃ及び３２ｃを一定の角度まで折り曲げてから、連結部３５２ｃで貫通孔３５１ｃを連結して、突出形状を固定する。
【００５３】
患部保護具１ｃは、上記実施形態１に係る患部保護具１と同様に、患部保護部を患部の上方に、患部を隔てて第１貼付け部が一方の皮膚に貼り付けられ、第２貼付け部が他方の皮膚に貼り付けられる。そうすると、第１貼付け部と第２貼付け部との間の間隔を変えようとする、言い換えれば患部に近い部位を動こうとすると、弾性材層１４の両辺部にその復元力に抗する力を与えなければならない。しかし、無意識の動きは、その力が弱いため、両辺部を近接方向あるいは離間方向に変形させることはできず、これによって無意識の動きが抑制される。一方、意識的に動く必要がある場合は、その力が大きく、両辺部にその復元力に抗する力を与えてこれを変形させ、動くことができるようになる。そして、意識的な動きを止めると、弾性材層１４の両辺部はその復元力によって元の状態に戻り、無意識の動き抑制状態に戻る。
【００５４】
患部保護具１ｃは、患部保護部３０ｃが平面形状から基材層側に突出する突出形状に変更可能に形成されるため、さらに、利便性が向上する。
【００５５】
＜実施形態２の変形例１＞
図６は、実施形態２の変形例１に係る患部保護具１ｄを示す図で、図６（ａ）は平面形状を、図６（ｂ）は折曲途中状態を、図６（ｃ）は折曲後固定状態を示す図である。患部保護具１ｄは、折曲固定部３５ｄのみが実施形態２に係る患部保護具１ｃと異なる。
【００５６】
折曲固定部３５ｄは、第１辺部３１ｃ及び第２辺部３２ｃのそれぞれに設けられた係止片３５１ｄ、３５２ｄで構成され、二つの係止片３５１ｄ、３５２ｄを係合させることによって、折り曲げ後の突出形状を固定することができる。
【００５７】
図示のように、二つの係止片３５１ｄは、相反する方向に曲がっているフック状に形成され、フックの根元が第１辺部３１ｃ又は第２辺部３２ｃとつながり、その他の部分は第１辺部３１ｃ又は第２辺部３２ｃから遊離する形態に設けられて、遊離部分を裏側に押し曲げて、両者を引っ掛けることによって、固定される。
【００５８】
使用の際には、例えば、図６（ｂ）に示すように、第１辺部３１ｃ及び第２辺部３２ｃを一定の角度まで折り曲げてから、二つの係止片３５１ｄ、３５２ｄを押し曲げた後に、図６（ｃ）に示すように、二つの係止片３５１ｄ、３５２ｄを係合させて、突出形状を固定する。
【００５９】
＜実施形態２の変形例２＞
図７は、実施形態２の変形例２に係る患部保護具１ｅを示す図で、図７（ａ）は平面形状を、図７（ｂ）は折曲途中状態を、図７（ｃ）は折曲後固定状態を示す図である。患部保護具１ｅは、折曲固定部３５ｅのみが実施形態２に係る患部保護具１ｃと異なる。
【００６０】
折曲固定部３５ｅは、第１辺部３１ｃ及び第２辺部３２ｃの一方に係止片３５１ｅを、他方に係止孔３５２ｅを設けて、係止片３５１ｅと係止孔３５２ｅとを係合させることによって、患部保護部３０ｅの突出形状を固定する。なお、ここでは、説明の便宜上、第１辺部３１ｃに係止片３５１ｅが設けられ、第２辺部３２ｃに係止孔３５２ｅが設けられるものとする。
【００６１】
図示のように、係止片３５１ｅは、根元のみが第１辺部３１ｃとつながり、その他の部分は第１辺部３１ｃから遊離する形態に設けられる。また、係止孔３５２ｅは、貫通孔として設けられ、係止片３５１ｅに対応した形状に設けられる。より具体的には、図示のように、係止片３５１ｅを、全体が略Ｔ字形状で、縦棒部分に膨らみを持たせた形状に形成することができる。これに合わせて、係止孔３５２ｅは、全体が略工字形状に形成して、係止片３５１ｅの横棒部分が係止孔３５２ｅの小さい横棒部分に係止され、さらに膨らみ部分で固定されるようにすることができる。
【００６２】
＜実施形態３＞
図８は、実施形態３に係る患部保護具１ｆを示す図で、図８（ａ）は表側を示す図、図８（ｂ）は患部保護具を構成する各層を示す図、図８（ｃ）は剥離材層を除いた裏側を示す図である。上記実施形態と同様な構成については、同様な符号を付し、その説明を省略する。
【００６３】
患部保護具１ｆは、基材層１１ｆと、弾性材層１４ｆと、粘着剤層１２と、剥離材層１３と、を含んで構成される。
【００６４】
基材層１１ｆは、患部保護具１ｆの表側を構成する層で、例えば、不織布や、合成樹脂製フィルム、和紙、綿布等の素材が用いられる。基材層１１ｆは、伸縮性を有する素材が用いられてもよい。図示のように、本実施形態において基材層１１ｆは、分断された２枚のシート状になっている。
【００６５】
粘着剤層１２は、基材層１１ｆの裏側に塗布（積層）される層で、例えば、シリコーン樹脂製の粘着剤、アクリル樹脂製の粘着剤、合成ゴム製の粘着剤等が用いられる。
【００６６】
弾性材層１４ｆは、一部が患部保護具１ｆの表側を構成し、一部が基材層１１ｆの裏側に配置される層で、例えば、薄板状の金属部材、薄板状の樹脂部材等が用いられる。弾性材層１４ｆは、基材層１１ｆの縁部よりも内側に後退して、患部保護具１ｆの中央部に配置される。弾性材層１４ｆは、図示しない接着剤や粘着剤等で基材層１１ｆに貼り付けられて固定されてもよいし、図８（ｃ）に示すように、粘着剤層１２によって基材層１１ｆに貼り付けられて固定されてもよい。
【００６７】
剥離材層１３は、裏側から粘着剤層１２を覆う層で、紙や合成樹脂フィルム等の素材が用いられる。また、図示しないが、粘着剤層１２からきれいに剥がれるように、剥離材層１３にはシリコーン樹脂等が塗布される。図示のように、本実施形態において剥離材層１３は、２枚のシート状になっている。また、剥離材層１３は、図示のように、弾性材層１４ｆが存在する部分をも覆ってもよいし、弾性材層１４ｆが存在せず粘着剤層１２が裏側において露出する層のみを覆ってもよい。
【００６８】
患部保護具１ｆは、図示のように、第１貼付け部２１ｆと、第２貼付け部２２ｆと、患部保護部３０ｆと、を含む。
【００６９】
第１貼付け部２１ｆは、一方側の皮膚に貼り付けられる部分で、表側から順に基材層１１ｆ、弾性材層１４ｆ、粘着剤層１２、剥離材層１３を含んで構成される。第１貼付け部２１ｆは、一例として、図示のように、楕円形状に形成される。
【００７０】
第１貼付け部２１ｆにおいて、弾性材層１４ｆは、配置領域が基材層１１ｆよりも狭く、一例として、図示のように、弾性材層１４ｆは、縁部から内側（患部保護部３０ｆ側）に後退して配置される。
【００７１】
第２貼付け部２２ｆは、他方側の皮膚に貼り付けられる部分で、表側から順に基材層１１ｆ、弾性材層１４ｆ、粘着剤層１２、剥離材層１３を含んで構成される。第２貼付け部２２ｆは、一例として、図示のように、楕円形状に形成される。
【００７２】
第２貼付け部２２ｆにおいて、弾性材層１４ｆは、配置領域が基材層１１ｆよりも狭く、一例として、図示のように、弾性材層１４ｆは、縁部から内側（患部保護部３０ｆ側）に後退して配置される。
【００７３】
患部保護部３０ｆは、患部を覆う部分で、粘着剤層１２は含まず弾性材層１４ｆのみを含んで構成される。
【００７４】
一例として、患部保護部３０ｆにおける弾性材層１４ｆは、コ字形状、又はコ字形状を繰り返し反転屈曲させた形状をなす。例えば、図示のように、患部保護部３０ｆにおける弾性材層１４ｆは、２つのコ字形状を反転屈曲させた己字形状をなしている。弾性材層１４ｆは、コ字形状の向かい合う辺が近接方向に付勢される。
【００７５】
患部保護具１ｆは、使用の際は、剥離材層１３が剥がされ、患部保護部を患部の上方に、患部を隔てて第１貼付け部が一方の皮膚に貼り付けられ、第２貼付け部が他方の皮膚に貼り付けられる。そうすると、第１貼付け部と第２貼付け部との間の間隔を変えようとする、言い換えれば患部に近い部位を動こうとすると、弾性材層１４ｆのコ字形状の各辺にその復元力に抗する力を与えなければならない。しかし、無意識の動きは、その力が弱いため、各辺を離間方向へ変形させることはでむずかしい。これによって無意識の動きが抑制される。一方、意識的に動く必要がある場合は、その力が大きく、コ字形状の各辺にその復元力に抗する力を与えてこれを離間方向へ変形させ、動くことができるようになる。そして、意識的な動きを止めると、弾性材層１４ｆのコ字形状の各辺はその復元力によって元の状態に戻り、無意識の動き抑制状態に戻る。
【００７６】
患部保護具１ｆは、無意識の動きを抑制することで、患部の開きなどを抑制することができる。
【００７７】
さらに、患部保護具１ｆは、構成を簡略化することで、製造コストを低減することもできる。
【００７８】
＜実施形態４＞
図９は、実施形態４に係る患部保護具１ｇを示す図である。患部保護具１ｇは、弾性材層１４ｇ及び患部保護部３０ｇのみが実施形態３に係る患部保護具１ｆと異なる。
【００７９】
弾性材層１４ｇは、一部が患部保護具１ｇの表側を構成し、一部が基剤層１１ｆの裏側に配置される層で、例えば、ゴム等伸縮力が強い素材が用いられる。弾性材層１４ｇは、基材層１１ｆの縁部よりも内側に後退して、患部保護具１ｇの中央部の細長い範囲に分布される。弾性材層１４ｇは、図示しない接着剤や粘着剤等で基材層１１ｆに貼り付けられて固定されてもよいし、粘着剤層１２によって基材層１１ｆに貼り付けられて固定されてもよい。
【００８０】
患部保護部３０ｇは、患部を覆う部分で、弾性材層１４ｇのみを含んで構成される。
【００８１】
患部保護具１ｇは、使用の際は、剥離材層１３が剥がされ、患部保護部を患部の上方に、患部を隔てて第１貼付け部が一方の皮膚に貼り付けられ、第２貼付け部が他方の皮膚に貼り付けられる。そうすると、第１貼付け部と第２貼付け部との間の間隔を変えようとする、言い換えれば患部に近い部位を動こうとすると、弾性材層１４ｇの復元力に抗する力を与えてこれを伸長させなければならない。しかし、無意識の動きは、その力が弱いため、伸長させることはむずかしい。これによって無意識の動きが抑制される。一方、意識的に動く必要がある場合は、その力が大きく、弾性素材１４ｇにその復元力に抗する力を与えてこれを伸長させ、動くことができるようになる。そして、意識的な動きが止まると、弾性材層１４ｇの復元力によって元の状態に戻り、無意識の動き抑制状態に戻る。
【００８２】
患部保護具１ｆは、無意識の動きを抑制することで、患部の開きなどを抑制することができる。
【００８３】
さらに、患部保護具１ｆは、構成を簡略化することで、製造コストを低減することもできる。
【００８４】
以上、本発明に係る患部保護具の実施形態について説明したが、これらは本発明の実施形態の一例に過ぎず、本発明はこれらに限定されるものではない。本発明には、以上の各実施形態を組み合わせた形態や、様々な変形例が含まれる。
【００８５】
例えば、前記各実施形態においける患部保護具は、透明なものとして構成されてもよい。また、患部保護部は、基材層側に突出する形状であれば、他の形状であってもよい。
【００８６】
なお、以上では、傷を保護する例を説明したが、患部保護具は、例えば、リューマチの関節の伸び縮みを制限したり、打撲した患部を保護したりする用途としても有用である。
【符号の説明】
【００８７】
１、１ａ、１ｂ              患部保護具
１１                        基材層
１２                        粘着剤層
１３                        剥離層
１４、１４ａ                弾性材層
１５                        裏材層
２１                        第１貼付け部
２２                        第２貼付け部
３０、３０ａ、３０ｂ        患部保護部
３１                        第１辺部
３２                        第２辺部
３３ｂ                      段差部
４０ａ                      進出口
【図１】
2018051088.tif 000003
【図２】
2018051088.tif 000004
【図３】
2018051088.tif 000005
【図４】
2018051088.tif 000006
【図５】
2018051088.tif 000007
【図６】
2018051088.tif 000008
【図７】
2018051088.tif 000009
【図８】
2018051088.tif 000010
【図９】
2018051088.tif 000011
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
基材層と、粘着剤層と、剥離材層と、を含む患部保護具であって、
第１貼付け部と、第２貼付け部と、患部保護部と、を含み、
前記基材層と前記粘着剤層との間に、弾性材層を含み、
前記患部保護部における前記弾性材層が弾性力を有することによって、患部に対する無意識の動きの抑制と意識的な動きの許容ができる
ことを特徴とする患部保護具。
【請求項２】
請求項１に記載の患部保護具であって、
前記患部保護部における前記弾性材層は、平面形状に設けられる
ことを特徴とする患部保護具。
【請求項３】
請求項２に記載の患部保護具であって、
前記患部保護部における前記弾性材層は、コ字形状、又は２以上のコ字形状を繰り返し反転屈曲させた形状に設けられる
ことを特徴とする患部保護具。
【請求項４】
請求項１に記載の患部保護具であって、
前記患部保護部における前記弾性材層は、前記基材層側に突出する突出形状に設けられる
ことを特徴とする患部保護具。
【請求項５】
請求項４に記載の患部保護具であって、
前記患部保護部における前記弾性材層は、前記基材層側に突出する略逆Ｖ字形状に設けられる
ことを特徴とする患部保護具。
【請求項６】
請求項４に記載の患部保護具であって、
前記患部保護部における前記弾性材層は、前記基材層側に突出する略円弧形状に設けられる
ことを特徴とする患部保護具。
【請求項７】
請求項４に記載の患部保護具であって、
前記患部保護部における前記弾性材層は、前記基材層側に突出する略Ｍ字形状に設けられる
ことを特徴とする患部保護具。
【請求項８】
請求項４〜７のいずれか一項に記載の患部保護具であって、
前記弾性材層と前記粘着剤層との間に、裏材層を含む
ことを特徴とする患部保護具。
【請求項９】
請求項８に記載の患部保護具であって、
前記患部保護部は、前記裏材層を含まない
ことを特徴とする患部保護具。
【請求項１０】
請求項１に記載の患部保護具であって、
前記患部保護部における前記弾性材層は、平面形状から前記基材層側に突出する突出形状に変更可能に設けられる
ことを特徴とする患部保護具。
【請求項１１】
請求項１０に記載の患部保護具であって、
前記患部保護部は、前記突出形状を固定するための折曲固定部を含む
ことを特徴とする患部保護具。
【請求項１２】
請求項１〜１１のいずれか一項に記載の患部保護具であって、
前記患部保護部の少なくとも一部を貫通する進出口を含む
ことを特徴とする患部保護具。
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
基材層と、粘着剤層と、剥離材層と、を含む患部保護具であって、
第１貼付け部と、第２貼付け部と、患部保護部と、を含み、
前記基材層と前記粘着剤層との間に、弾性材層を含み、
前記弾性材層は、前記第１貼付け部、前記患部保護部及び前記第２貼付け部にわたって配置され、
前記患部保護部における前記弾性材層が弾性力を有することによって、患部に対する無意識の動きの抑制と意識的な動きの許容ができる
ことを特徴とする患部保護具。
【請求項２】
基材層と、粘着剤層と、剥離材層と、を含む患部保護具であって、
第１貼付け部と、第２貼付け部と、患部保護部と、を含み、
前記基材層と前記粘着剤層との間に、弾性材層を含み、
前記弾性材層は、前記第１貼付け部、前記患部保護部及び前記第２貼付け部にわたって配置され、
前記患部保護部における前記弾性材層は、前記第１貼付け部及び前記第２貼付け部における前記弾性材層と同じ平面を構成するように、平面形状に設けられ、
前記患部保護部における前記弾性材層が弾性力を有することによって、患部に対する無意識の動きの抑制と意識的な動きの許容ができる
ことを特徴とする患部保護具。
【請求項３】
基材層と、粘着剤層と、剥離材層と、を含む患部保護具であって、
第１貼付け部と、第２貼付け部と、患部保護部と、を含み、
前記基材層と前記粘着剤層との間に、弾性材層を含み、
前記患部保護部における前記弾性材層が弾性力を有することによって、患部に対する無意識の動きの抑制と意識的な動きの許容ができ、
前記患部保護部における前記弾性材層は、平面形状に設けられ、
前記患部保護部における前記弾性材層は、コ字形状、又は２以上のコ字形状を繰り返し反転屈曲させた形状に設けられる
ことを特徴とする患部保護具。
【請求項４】
請求項１に記載の患部保護具であって、
前記患部保護部における前記弾性材層は、前記基材層側に突出する突出形状に設けられる
ことを特徴とする患部保護具。
【請求項５】
請求項４に記載の患部保護具であって、
前記患部保護部における前記弾性材層は、前記基材層側に突出する略逆Ｖ字形状に設けられる
ことを特徴とする患部保護具。
【請求項６】
請求項４に記載の患部保護具であって、
前記患部保護部における前記弾性材層は、前記基材層側に突出する略円弧形状に設けられる
ことを特徴とする患部保護具。
【請求項７】
請求項４に記載の患部保護具であって、
前記患部保護部における前記弾性材層は、前記基材層側に突出する略Ｍ字形状に設けられる
ことを特徴とする患部保護具。
【請求項８】
請求項４〜７のいずれか一項に記載の患部保護具であって、
前記弾性材層と前記粘着剤層との間に、裏材層を含む
ことを特徴とする患部保護具。
【請求項９】
請求項８に記載の患部保護具であって、
前記患部保護部は、前記裏材層を含まない
ことを特徴とする患部保護具。
【請求項１０】
請求項１に記載の患部保護具であって、
前記患部保護部における前記弾性材層は、平面形状から前記基材層側に突出する突出形状に変更可能に設けられる
ことを特徴とする患部保護具。
【請求項１１】
基材層と、粘着剤層と、剥離材層と、を含む患部保護具であって、
第１貼付け部と、第２貼付け部と、患部保護部と、を含み、
前記基材層と前記粘着剤層との間に、弾性材層を含み、
前記患部保護部における前記弾性材層が弾性力を有することによって、患部に対する無意識の動きの抑制と意識的な動きの許容ができ、
前記患部保護部における前記弾性材層は、平面形状から前記基材層側に突出する突出形状に変更可能に設けられ、
前記患部保護部は、前記突出形状を固定するための折曲固定部を含む
ことを特徴とする患部保護具。
【請求項１２】
請求項１〜１１のいずれか一項に記載の患部保護具であって、
前記患部保護部の少なくとも一部を貫通する進出口を含む
ことを特徴とする患部保護具。